(57)【要約】【課題】人間が建屋内に居るかどうかをより確実に検知できる電力監視処理システムを提供する。【解決手段】電力監視処理システムは、建屋１の電力供給口２と電気機器３との間に介在する電力監視部４と、電力監視部４から送られるデータに基づく処理を行う中央処理部３０とを備える。各電力監視部４は、これに接続された電気機器３に供給される電力を測定する電流センサ７と、照度センサ８とを備える。中央処理部３０は、各電力監視部４から送られる電流センサ７及び照度センサ８の検出データに基づいて建屋１に人間が居るかどうかを判定する存否判定部２０を備える。【選択図】図３
2017216559.tif 000002
【特許請求の範囲】
【請求項１】
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備えることを特徴とする電力監視処理システム。
【請求項２】
各電力監視部は、その周囲の温度を検出するための温度センサを備え、
前記存否判定部は、前記電流センサ及び前記照度センサの検出データに加えて各電力監視部から送られる前記温度センサの検出データに基づいて前記判定を行うものであることを特徴とする請求項１に記載の電力監視処理システム。
【請求項３】
各電力監視部は、該電力監視部に接続されている電気機器に対して、前記中央処理部から指示されたコマンドを送信するコマンド送信部を備え、
前記中央処理部は、前記存否判定部により人間が居る旨の判定がなされた場合に、各電力監視部からの前記照度センサの検出データに基づき、前記電気機器として照明器具が接続されている該電力監視部に対し、該照明器具に送信すべきコマンドを指示するコマンド指示部を有することを特徴とする請求項１又は２に記載の電力監視処理システム。
【請求項４】
各電力監視部は、該電力監視部に接続されている電気機器に対して、前記中央処理部から指示されたコマンドを送信するコマンド送信部を備え、
前記中央処理部は、前記存否判定部により人間が居る旨の判定がなされた場合に、各電力監視部からの前記温度センサの検出データに基づき、前記電気機器としてエアコンディショナが接続されている該電力監視部に対し、該エアコンディショナに送信すべきコマンドを指示するコマンド指示部を有することを特徴とする請求項２に記載の電力監視処理システム。
【請求項５】
各電力監視部は、人間の現在位置を検出する現在位置センサを備え、
前記中央処理部は、前記存否判定部により人間が居る旨の判定がなされない場合には所定の警告を出力し、前記存否判定部により人間が居る旨の判定がなされた場合には、各電力監視部からの前記現在位置センサの検出データに基づき、該人間の現在位置を示す所定の出力を行う人間監視部を有することを特徴とする請求項１〜４のいずれか１項に記載の電力監視処理システム。
【請求項６】
各電力監視部は、その周囲の温度を検出する温度センサ又は火災センサを備え、
前記中央処理部は、前記存否判定部により人間が居る旨の判定がなされた場合に、各電力監視部の前記温度センサ又は前記火災センサの検出データに基づいて火災が発生した旨を判定したとき、その旨を報知する火災報知部を有することを特徴とする請求項１〜５のいずれか１項に記載の電力監視処理システム。
【請求項７】
各電力監視部は、人間の現在位置を検出する現在位置センサを備え、
前記中央処理部は、前記存否判定部により人間が居る旨の判定がなされた場合に、各電力監視部の前記現在位置センサの検出データに基づいて該人間の現在位置を示す処理を行う保安処理部を有することを特徴とする請求項１〜６のいずれか１項に記載の電力監視処理システム。
【請求項８】
前記電力監視部は、漏水を検知する漏水センサを備え、
前記中央処理部は、前記存否判定部により人間が居る旨の判定がなされた場合に、各電力監視部の前記漏水センサの検出データに基づいて漏水があったことを検出したときに、その旨を報知するための出力を行う漏水報知部を有することを特徴とする請求項１〜７のいずれか１項に記載の電力監視処理システム。
【請求項９】
前記中央処理部は、
前記存否判定部により人間が居る旨の判定がなされた場合に、前記建屋の玄関のスマートキーシステムに対して施錠を行う旨の指令を送るスマートキー処理部を有することを特徴とする請求項１〜８のいずれか１項に記載の電力監視処理システム。
【請求項１０】
各電力監視部は、該電力監視部に接続されている前記電気機器へ供給される電力を、前記中央処理部からの遮断指令に基づいて遮断する電力遮断部を有し、
前記中央処理部は、雷センサからの検出データ又は雷に関する気象情報に基づいて、雷サージから前記電気機器を保護するために該電気機器への電力の供給路を遮断すべきであると判定した場合に各電力監視部に前記遮断指令を送る雷サージ保護部を有することを特徴とする請求項１〜９のいずれか１項に記載の電力監視処理シシステム。
【発明の詳細な説明】
【技術分野】
【０００１】
本発明は、建屋の電力供給口と電気機器との間に介在して該電気機器に供給される電力を監視するための電力監視部を有する電力監視処理システムに関する。
【背景技術】
【０００２】
従来、建屋の電力供給口と電気機器との間に介在して該電気機器に供給される電力を監視するとともに各種機能を有する電力監視部と、複数の該電力監視部から送られるデータに基づく処理を行う中央処理部とを備えた電力監視処理システムが知られている（例えば、特許文献１参照）。
【０００３】
特許文献１のシステムでは、電力監視部としてのスマート電源タップに温度センサや湿度センサ、明るさセンサを接続することができ、これらセンサの検出データが中央処理部に送られるようになっている。中央処理部は、かかる検出データに基づき、各スマート電源タップのＩＲセンサ部を介して、各スマート電源タップに接続されている電気機器の遠隔制御を行うことができる。
【０００４】
また、上記のような電力監視部として、温度センサや湿度センサに加えて人体検知センサを備え、これらセンサの検出データに基づいてエアコンなどを制御する機能を有するものも知られている（例えば、特許文献２参照）。特許文献２のものにおいては、所定時間人体の検出が行われない場合には、エアコンの設定温度を消費電力が減少するように設定変更したり、エアコンの動作を停止させたりする制御が行われる。
【先行技術文献】
【特許文献】
【０００５】
【特許文献１】特開２０１４−２２５８３３号公報
【特許文献２】特許第５１８２０４３号公報
【発明の概要】
【発明が解決しようとする課題】
【０００６】
しかしながら、上記特許文献１の装置によれば、温度センサ等の検出データに基づいて電気機器の遠隔制御を行う際に、建屋内に人間が居るかどうかとは無関係に制御を行うので、人間がいない間にエアコンを駆動制御して、無駄に電力を消費するおそれがある。
【０００７】
また、引用文献２のものでは、人体検知センサの検出データを考慮してエアコンを制御することにより消費電力の減少を図っているが、人間が少しの間でも部屋内に居ない場合にはエアコンを停止などする制御が行われるので、意図しないタイミングでエアコンが停止される場合がある。
【０００８】
本発明の目的は、かかる従来技術の課題に鑑み、人間が建屋内に居るかどうかをより確実に検知できる電力監視処理システムを提供することにある。
【課題を解決するための手段】
【０００９】
第１発明に係る電力監視処理システムは、
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定する電流センサと、
該電力監視部の周囲の照度を検出する照度センサと、
前記中央処理部とのデータ通信を行う端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備えることを特徴とする。
【００１０】
第１発明によれば、建屋内の人間そのものを検出するのではなく、人間が存在することにより生じる電力の消費、必要な一定の照度に基づいて人間の存否を判定するようにしたので、人間そのものを検出できないような場合、例えば人感センサの検出範囲外に人間が移動している場合でも、人間が存在する旨の判定を行うことができる。
【００１１】
第２発明は、第１発明において、
各電力監視部は、その周囲の温度を検出するための温度センサを備え、
前記存否判定部は、前記電流センサ及び前記照度センサの検出データに加えて各電力監視部から送られる前記温度センサの検出データに基づいて前記判定を行うものであることを特徴とする。
【００１２】
第２発明によれば、人間が居る場合の温度範囲と温度センサの検出データが示す温度とを比較することにより、より確実に人間の存否を判定することができる。
【００１３】
第３発明は、第１又は第２発明において、
各電力監視部は、該電力監視部に接続されている電気機器に対して、前記中央処理部から指示されたコマンドを送信するコマンド送信部を備え、
前記中央処理部は、前記存否判定部により人間が居る旨の判定がなされた場合に、各電力監視部からの前記照度センサの検出データに基づき、前記電気機器として照明器具が接続されている該電力監視部に対し、該照明器具に送信すべきコマンドを指示するコマンド指示部を有することを特徴とする。
【００１４】
第３発明によれば、存否判定部により人間が居る旨の判定がなされた場合に、照明器具が接続されている電力監視部にコマンドの指示を行うようにしたので、その照明器具を当該人間にとって適切な出力等となるように制御することができる。
【００１５】
第４発明は、第２発明において、
各電力監視部は、該電力監視部に接続されている電気機器に対して、前記中央処理部から指示されたコマンドを送信するコマンド送信部を備え、
前記中央処理部は、前記存否判定部により人間が居る旨の判定がなされた場合に、各電力監視部からの前記温度センサの検出データに基づき、前記電気機器としてエアコンディショナが接続されている該電力監視部に対し、該エアコンディショナに送信すべきコマンドを指示するコマンド指示部を有することを特徴とする。
【００１６】
第４発明によれば、存否判定部により人間が居る旨の判定がなされた場合に、エアコンディショナが接続されている電力監視部にコマンドの指示を行うようにしたので、そのエアコンディショナを当該人間にとって適切な出力等となるように制御することができる。
【００１７】
第５発明は、第１〜第４発明において、
各電力監視部は、人間の現在位置を検出する現在位置センサを備え、
前記中央処理部は、前記存否判定部により人間が居る旨の判定がなされない場合には所定の警告を出力し、前記存否判定部により人間が居る旨の判定がなされた場合には、各電力監視部からの前記現在位置センサの検出データに基づき、該人間の現在位置を示す所定の出力を行う人間監視部を有することを特徴とする。
【００１８】
第５発明によれば、上述の存否判定部の判定結果に応じて人間が居ない旨の警告や、居ると判定された人間の現在位置を示す所定の出力を行うようにしたので、存否判定部の判定結果を適切に利用して監視対象となる人間を監視することができる。
【００１９】
第６発明は、第１〜第５発明において、
各電力監視部は、その周囲の温度を検出する温度センサ又は火災センサを備え、
前記中央処理部は、前記存否判定部により人間が居る旨の判定がなされた場合に、各電力監視部の前記温度センサ又は前記火災センサの検出データに基づいて火災が発生した旨を判定したとき、その旨を報知する火災報知部を有することを特徴とする。
【００２０】
第６発明によれば、存否判定部による判定結果を適切に利用しながら、火災が発生した旨を報知することができる。
【００２１】
第７発明は、第１〜第６発明において、
各電力監視部は、人間の現在位置を検出する現在位置センサを備え、
前記中央処理部は、前記存否判定部により人間が居る旨の判定がなされた場合に、各電力監視部の前記現在位置センサの検出データに基づいて該人間の現在位置を示す処理を行う保安処理部を有することを特徴とする。
【００２２】
第７発明によれば、存否判定部による判定結果を適切に利用しながら、現在位置センサの検出データに基づいて該人間の現在位置を示す処理を行うことができる。
【００２３】
第８発明は、第１〜第７発明において、
前記電力監視部は、漏水を検知する漏水センサを備え、
前記中央処理部は、前記存否判定部により人間が居る旨の判定がなされた場合に、各電力監視部の前記漏水センサの検出データに基づいて漏水があったことを検出したときに、その旨を報知するための出力を行う漏水報知部を有することを特徴とする。
【００２４】
第８発明によれば、存否判定部による判定結果を適切に利用しながら、漏水があったことを検出したときにその旨を報知する処理を行うことができる。
【００２５】
第９発明は、第１〜第８のいずれかの発明において、
前記中央処理部は、前記存否判定部により人間が居る旨の判定がなされた場合に、前記建屋の玄関のスマートキーシステムに対して施錠を行う旨の指令を送るスマートキー処理部を有することを特徴とする。
【００２６】
第９発明によれば、存否判定部による判定結果を適切に利用しながら、スマートキー処理を行うことができる。
【００２７】
第１０発明は、第１〜第９のいずれかの発明において、
各電力監視部は、該電力監視部に接続されている前記電気機器へ供給される電力を、前記中央処理部からの遮断指令に基づいて遮断する電力遮断部を有し、
前記中央処理部は、雷センサからの検出データ又は雷に関する気象情報に基づいて、雷サージから前記電気機器を保護するために該電気機器への電力の供給路を遮断すべきであると判定した場合に各電力監視部に前記遮断指令を送る雷サージ保護部を有することを特徴とする。
【００２８】
第１０発明によれば、雷センサの検出データに基づいて電気機器への電力供給路を遮断するようにしたので、雷サージからの電気機器の保護を効果的に行うことができる。
【図面の簡単な説明】
【００２９】
【図１】本発明の一実施形態に係る電力監視処理システムの構成を示すブロック図である。
【図２】図１中の中央処理部の構成を示すブロック図である。
【図３】図１中の電力監視部の構成を示すブロック図である。
【図４】図２の中央処理部による処理を示すフローチャートである。
【発明を実施するための形態】
【００３０】
以下、図面を用いて本発明の実施形態を説明する。本発明の一実施形態に係る電力監視処理システムは、図１に示すように、建屋１の電力供給口２と電気機器３との間に介在する電力監視部４と、複数の電力監視部４から送られるデータに基づく処理を行う中央処理部５とを備える。電力監視部４及び中央処理部５は、ＣＰＵ、メモリ、プログラム、論理回路等を含んで構成される。
【００３１】
電力監視部４は、電気機器３に供給される電力を監視するとともに、電気機器３の制御等に係る各種機能を有する。電力供給口２には、建屋１の分電盤６から例えばＡＣ１００Ｖの電圧で電力が供給される。電力供給口２は、例えば電源コンセントで構成される。電気機器３としては、エアコンディショナ（エアコン）、照明器具、テレビ、洗濯機等が該当する。
【００３２】
各電力監視部４は、これに接続された電気機器３に供給される電力を測定するための電流センサ７と、該電力監視部４の周囲の照度を検出するための照度センサ８と、該電力監視部４の周囲の温度及び湿度を検出するための温湿度センサ９と、中央処理部５とのデータ通信を行うための端末通信部１０とを備える。各電力監視部４には、ＩＰアドレス、識別記号などが割り当てられている。温湿度センサ９の代わりに、温度センサのみを用いてもよい。
【００３３】
各電力監視部４には、電力供給口２から供給される電力が入力される電力入力部１１と、入力された電力を出力する電力出力部１２とが設けられる。電力入力部１１は、例えば電源プラグで構成される。電力出力部１２は、例えばコンセントで構成される。また、各電力監視部４には、電力入力部１１から電力出力部１２までの電力の伝達経路をリレースイッチにより遮断する電力遮断部１３が設けられる。
【００３４】
また、各電力監視部４には、コマンド送信部１４や各種センサを接続するための追加機能接続部１５が設けられる。コマンド送信部１４は、それが属する電力監視部４に接続されている電気機器３に対して、これを制御するためのコマンドを送る機能を有する。コマンドは、その電気機器３を遠隔制御するためのリモコンで送信し得るものと同様の媒体（例えば赤外線）による同様の信号で構成される。
【００３５】
追加機能接続部１５に接続し得るセンサとしては、例えば、人間の現在位置を検出する現在位置センサ１６や、火災センサ１７、漏水センサ１８、雷センサ１９が該当する。現在位置センサ１６としては、例えば、検出対象者が保持しているビーコン信号発生器からのビーコン信号を受信することにより当該検出対象者の現在位置を検出するものを採用することができる。
【００３６】
中央処理部５は、各電力監視部４の端末通信部１０との間で相手方を特定してデータ通信を行うための中央通信部３０と、建屋１に人間が居るかどうかを判定する存否判定部２０とを備える。中央通信部３０は、各電力監視部４に割り当てられている上記のＩＰアドレス、識別記号などに基づいて各電力監視部４を特定して該電力監視部４との通信を行う。
【００３７】
端末通信部１０と中央通信部３０との間の通信は、無線又はＰＬＣ（パワー・ライン・コミュニケーション）により行うようにしてもよい。中央通信部３０は、インターネット等の通信ネットワークにも接続されており、該通信ネットワークを介して種々の情報を外部の端末やモバイル機器との間で送受信する機能も有している。
【００３８】
存否判定部２０は、各電力監視部４から送られる電流センサ７及び照度センサ８の検出データに基づいて、上記人間存否の判定を行う。例えば、テレビが接続された電力監視部４の電流センサ７の検出データが所定以上の電流値を示しており、該電力監視部４の照度センサ８による検出データが所定値以上の照度を示している場合には、その電力監視部４が存在する部屋に人間が居ると判定する。
【００３９】
また、中央処理部５は、各電力監視部４等からの情報に基づいて所定の処理をそれぞれ行うコマンド指示部２１、人間監視部２２、火災報知部２３、保安処理部２４、漏水報知部２５、スマートキー処理部２６及び雷サージ保護部２７を備える。
【００４０】
コマンド指示部２１は、存否判定部２０により人間が居る旨の判定がなされた場合に、各電力監視部４からの照度センサ８又は温湿度センサ９の検出データに基づき、電気機器３として照明器具又はエアコンディショナが接続されている電力監視部４に対し、該照明器具又はエアコンディショナに送信すべきコマンドを指示する機能を有する。
【００４１】
なお、中央処理部５には、各電力監視部４に接続されている電気機器３の種類や機種、それを制御するためのリモコンにおけるコマンドの信号フォーマットなどの情報が、各電力監視部４や電気機器３のＩＰアドレスや識別情報に対応付けて予め設定され、記憶されている。あるいは、中央処理部５は、電気機器３や電力監視部４に予め設定されている該情報を読み取ることにより、これらのＩＰアドレスや識別情報に対応付けて該情報を取得するようにしてもよい。
【００４２】
人間監視部２２は、上述の存否判定部２０により人間が居る旨の判定がなされない場合にはその旨を示すような所定の警告を出力する。また、存否判定部２０により人間が居る旨の判定がなされた場合には、各電力監視部４からの現在位置センサ１６の検出データに基づき、該人間の現在位置に関する所定の出力を行う。所定の出力は、それにより建屋１における該人間の現在位置が把握できるようなものであり、これにより、子供や高齢者の監視を行うことができる。
【００４３】
火災報知部２３は、上述の存否判定部２０により人間が居る旨の判定がなされた場合に、各電力監視部４の温湿度センサ９又は追加機能接続部１５に接続されている火災センサ１７の検出データに基づいて火災が発生したと判定したとき、その旨を報知する機能を有する。
【００４４】
保安処理部２４は、上述の存否判定部２０により人間が居る旨の判定がなされた場合に、各電力監視部４の現在位置センサ１６の検出データに基づいて該人間の現在位置に関する処理を行う機能を有する。人間の現在位置に関する処理は、その人間の建屋１における現在位置が把握できるようなものであり、これにより、知らない人間が建屋１内に存在することを知ることができる。
【００４５】
漏水報知部２５は、存否判定部２０により人間が居る旨の判定がなされた場合に、各電力監視部４の漏水センサ１８の検出データに基づいて漏水があったことを検出したときに、その旨を報知する機能を有する。
【００４６】
スマートキー処理部２６は、存否判定部２０により人間が居る旨の判定がなされた場合に、建屋１の玄関のスマートキーシステムに対して施錠を行う旨の指令を送る機能を有する。これにより、帰宅したきに玄関の施錠を失念した場合でも、自動的に玄関の施錠が行われるので、保安上好都合である。
【００４７】
雷サージ保護部２７は、各電力監視部４の雷センサ１９の検出データに基づいて雷サージから電気機器３を保護するために該電気機器３への電力の供給路を遮断すべきであると判定した場合に、各電力監視部４に該遮断を行うべき旨の遮断指令を送る機能を有する。
【００４８】
図４は、中央処理部５における処理の一部を示すフローチャートである。この処理は、一定の短い時間間隔で繰り返し行われる。中央処理部５は、図４の処理を開始すると、まず、存否判定部２０により、各電力監視部４から送られる電流センサ７、照度センサ８及び温湿度センサ９の検出データに基づき、建屋１内に人間が居るかどうかを判定する存否判定処理を行う（ステップＳ１）。
【００４９】
この判定では、例えば、電流センサ７の検出データが示す電流値が所定値以上であり、照度センサ８の検出データが示す照度が所定値以上であれば、人間が居ると判定される。また、これに温湿度センサ９の検出データが示す温度、湿度を考慮し、判定精度を高めることができる。例えば、温度が所定の範囲内にあれば、人間が存在する蓋然性が高い。
【００５０】
次に、子供や老人などの人間の監視が必要かどうか、すなわちかかる監視を行う旨がユーザによって指示されているかどうかを判定する（ステップＳ２）。監視が必要ないと判定した場合にはステップＳ６に進む。監視が必要であると判定した場合には、ステップＳ１の存否判定処理によって人間が建屋１内に存在すると判定されたかどうかを判定する（ステップＳ３）。
【００５１】
ステップＳ３で人間が建屋１内に存在すると判定した場合には、人間監視部２２により、各電力監視部４の追加機能接続部１５に接続されている現在位置センサ１６の検出データに基づき、該人間の現在位置に関する所定の出力を行い（ステップＳ４）、ステップＳ６に進む。所定の出力としては、例えば、建屋の見取図に当該人間の位置を示すマークを表示することが該当する。かかる表示を、予め登録されているモバイル機器に送信するようにしてもよい。
【００５２】
ステップＳ３で人間が建屋１内に存在しないと判定した場合には、監視すべき人間が建屋１の外に出て行ったおそれがあるので、その旨を示す所定の警告を出力し（ステップＳ５）、ステップＳ６に進む。この出力は、例えば、音声、画像などを出力することにより行うことができる。かかる警告を、予め登録されているモバイル機器に送信するようにしてもよい。
【００５３】
ステップＳ６では、ステップＳ１の存否判定処理によって人間が建屋１内に存在すると判定されたかどうかを判定する。人間が建屋１内に存在しないと判定した場合にはステップＳ１２に進む。
【００５４】
一方、ステップＳ６で人間が存在すると判定した場合には、ステップＳ７〜Ｓ１１の各処理を行ってから、ステップＳ１２に進む。
【００５５】
すなわち、ステップＳ７のコマンド指示処理では、コマンド指示部２１により、各電力監視部４からの照度センサ８又は温湿度センサ９の検出データに基づき、電気機器３として照明器具又はエアコンディショナが接続されている電力監視部４に対し、その照明器具又はエアコンディショナに送信すべきコマンドを指示する。
【００５６】
例えば、照度センサ８又は温湿度センサ９の検出データと基準値とを比較し、検出データが示す照度値又は温湿度が基準値より小さい場合には、その照度センサ８又は温湿度センサ９を有する電力監視部４に対し、それに接続された照明器具又はエアコンディショナの出力を増大させるコマンドを指示する。
【００５７】
当該電力監視部４は、この指示を受信すると、指示されたコマンドを、当該照明器具に対して、追加機能接続部１５に接続されているコマンド送信部１４によって送信する。これにより、例えば、当該照明器具の照明による照度を基準値に一致させることができる。
【００５８】
ステップＳ８の火災報知処理では、火災報知部２３により、各電力監視部４の温湿度センサ９又は各電力監視部４の追加機能接続部１５に接続された火災センサ１７の検出データに基づいて火災が発生した旨を判定したとき、その旨を報知する。この報知は、音声、画像等の出力や、予め登録されたモバイル機器に火災が発生した旨のメール等を送信することにより行うことができる。
【００５９】
ステップＳ９の保安処理では、保安処理部２４により、各電力監視部４の追加機能接続部１５に接続された現在位置センサ１６の検出データに基づいて、建屋１内に存在すると判定された人間の現在位置に関する処理を行う。例えば、当該人間の現在位置を、建屋１の見取り図を表示し、その上に当該現在位置を示すマークを表示する。当該現在位置を音声等で出力するようにしてもよい。また、かかる表示や出力の情報を、予め登録されているモバイル機器に送信するようにしてもよい。かかる保安処理は、予めユーザから指示された場合に行われる。
【００６０】
ステップＳ１０の漏水報知処理では、漏水報知部２５により、各電力監視部４の追加機能接続部１５に接続された漏水センサ１８の検出データに基づいて漏水があったことを検出したときにその旨を報知する出力を行う。この出力は、例えば、予め登録されたモバイル機器に漏水が発生した旨を送信して表示させたり、音声や画像で出力したりすることにより行われる。これにより、ユーザは、洗濯機や風呂場で漏水が生じたことを直ちに知ることができる。
【００６１】
ステップＳ１１のスマートキー処理では、建屋１の玄関のスマートキーシステムに対して施錠を行う旨の指令を送る。これに応答して、スマートキーシステムは、玄関の施錠を行う。これにより、玄関の施錠を失念して建屋１内に入った場合でも、入ったことが検出され（ステップＳ６）、自動的に玄関の施錠が行われるので、保安上の安心感を得ることができる。
【００６２】
ステップＳ１２では、雷サージから電気機器３を保護するために、各電力監視部４における電気機器３への電力供給路を遮断すべきかどうかを判定し、遮断すべきと判定した場合には、ステップＳ１３において各電力監視部４に当該電力供給路を遮断すべき旨の遮断指令を送信して、図４の処理を終了する。遮断すべきと判定しなかった場合には、そのまま図４の処理を終了する。
【００６３】
電力供給路を遮断すべきかどうかの判定は、例えば、雷センサ１９の検出データが示す雷雲までの距離や雷のエネルギーが所定値を超えたかどうかにより行われる。あるいは、インターネット等のネットワークを介して得られる気象情報に基づいて、例えば、落雷が所定の近傍で発生したかどうかに基づいて判定を行うようにしてもよい。
【００６４】
遮断指令が送信された場合、これを受信した各電力監視部４に接続されている電気機器３への電力供給路が、その電力監視部４の電力遮断部１３により遮断される。これにより、雷サージによる電気機器３の破損等が防止される。
【００６５】
以上のように、本実施形態によれば、電流センサ７及び照度センサ８の検出データに基づいて存否判定部２０により建屋１に人間が居るかどうかを判定するようにしたので、人感センサを用いなくてもこの判定を行うことができる。また、人感センサで判定できない場合、例えば、人感センサの感知範囲から人間が離れている場合でも、建屋１内に人間が存在することを判定することができる。
【００６６】
また、電流センサ７及び照度センサ８に加え、さらに温湿度センサ９の検出データを考慮して建屋１に人間が居るかどうかを判定するようにしたので、さらに高い精度で人間の有無を判定することができる。
【００６７】
また、存否判定部２０により人間が居る旨の判定がなされた場合に、上述のコマンド指示処理（ステップＳ７）を行うようにしたので、照明器具やエアコンを当該人間について適切な出力等となるように制御することができる。また、建屋１内の部屋ごとに人間の存否を判定し、その結果に応じ、人間のいる部屋ごとに電気機器の制御を行うようにしてもよい。この場合に必要な各電力監視部４がどの部屋に配置され、どのような電気機器３が接続されているかについては、中央処理部５において予め設定しておくことができる。
【００６８】
また、上述の人間監視部２２により、存否判定部２０の判定結果に応じて監視対象の人間が居ない旨の警告や、居ると判定された人間の現在位置に関する出力を行うようにしたので、存否判定部２０の判定結果を適切に利用して監視対象の人間を監視することができる。
【００６９】
また、中央処理部５は、存否判定部２０により人間が居る旨の判定がなされた場合に、上記ステップＳ８〜Ｓ１１の火災報知処理、保安処理、漏水報知処理、スマートキー処理を行うようにしたので、存否判定部２０による判定結果を適切に利用しながら、これらの処理を行うことができる。
【００７０】
また、中央処理部５は、雷センサ１９の検出データに基づいて雷サージ保護部２７による遮断指令の送信を行うようにしたので、電気機器３の雷サージからの保護を効果的に行うことができる。
【００７１】
以上、本発明の実施形態について説明したが、本発明はこれに限定されない。例えば、電気機器３として、上記の照明器具やエアコンのほか、他の家電製品、例えば扇風機、暖房器具、テレビ、冷蔵庫などを含めてもよい。
【００７２】
また、存否判定部２０は、電流センサ７や、照度センサ８、温湿度センサ９に加え、人感センサによる検出データを考慮して人間の存否を判定するようにしてもよい。
【符号の説明】
【００７３】
１…建屋、２…電力供給口、３…電気機器、４…電力監視部、５…中央処理部、６…分電盤、７…電流センサ、８…照度センサ、９…温湿度センサ、１０…端末通信部、１１…電力入力部、１２…電力出力部、１３…電力遮断部、１４…コマンド送信部、１５…追加機能接続部、１６…現在位置センサ、１７…火災センサ、１８…漏水センサ、１９…雷センサ、２０…存否判定部、２１…コマンド指示部、２２…人間監視部、２３…火災報知部、２４…保安処理部、２５…漏水報知部、２６…スマートキー処理部、２７…雷サージ保護部、３０…中央処理部。
【図１】
2017216559.tif 000003
【図２】
2017216559.tif 000004
【図３】
2017216559.tif 000005
【図４】
2017216559.tif 000006
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
各電力監視部は、人間の現在位置を検出する現在位置センサを備え、
前記中央処理部は、前記存否判定部により人間が居る旨の判定がなされない場合には所定の警告を出力し、前記存否判定部により人間が居る旨の判定がなされた場合には、各電力監視部からの前記現在位置センサの検出データに基づき、該人間の現在位置を示す所定の出力を行う人間監視部を有することを特徴とする電力監視処理システム。
【請求項２】
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
各電力監視部は、人間の現在位置を検出する現在位置センサを備え、
前記中央処理部は、前記存否判定部により人間が居る旨の判定がなされた場合に、各電力監視部の前記現在位置センサの検出データに基づいて該人間の現在位置を示す処理を行う保安処理部を有することを特徴とする電力監視処理システム。
【請求項３】
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
前記電力監視部は、漏水を検知する漏水センサを備え、
前記中央処理部は、前記存否判定部により人間が居る旨の判定がなされた場合に、各電力監視部の前記漏水センサの検出データに基づいて漏水があったことを検出したときに、その旨を報知するための出力を行う漏水報知部を有することを特徴とする電力監視処理システム。
【請求項４】
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
各電力監視部は、該電力監視部に接続されている前記電気機器へ供給される電力を、前記中央処理部からの遮断指令に基づいて遮断する電力遮断部を有し、
前記中央処理部は、雷センサからの検出データ又は雷に関する気象情報に基づいて、雷サージから前記電気機器を保護するために該電気機器への電力の供給路を遮断すべきであると判定した場合に各電力監視部に前記遮断指令を送る雷サージ保護部を有することを特徴とする電力監視処理シシステム。
【請求項５】
各電力監視部は、その周囲の温度を検出するための温度センサを備え、
前記存否判定部は、前記電流センサ及び前記照度センサの検出データに加えて各電力監視部から送られる前記温度センサの検出データに基づいて前記判定を行うものであることを特徴とする請求項１〜４のいずれか１項に記載の電力監視処理システム。
【請求項６】
各電力監視部は、該電力監視部に接続されている電気機器に対して、前記中央処理部から指示されたコマンドを送信するコマンド送信部を備え、
前記中央処理部は、前記存否判定部により人間が居る旨の判定がなされた場合に、各電力監視部からの前記照度センサの検出データに基づき、前記電気機器として照明器具が接続されている該電力監視部に対し、該照明器具に送信すべきコマンドを指示するコマンド指示部を有することを特徴とする請求項１〜５のいずれか１項に記載の電力監視処理システム。
【請求項７】
各電力監視部は、該電力監視部に接続されている電気機器に対して、前記中央処理部から指示されたコマンドを送信するコマンド送信部を備え、
前記中央処理部は、前記存否判定部により人間が居る旨の判定がなされた場合に、各電力監視部からの前記温度センサの検出データに基づき、前記電気機器としてエアコンディショナが接続されている該電力監視部に対し、該エアコンディショナに送信すべきコマンドを指示するコマンド指示部を有することを特徴とする請求項１〜５のいずれか１項に記載の電力監視処理システム。
【請求項８】
各電力監視部は、その周囲の温度を検出する温度センサ又は火災センサを備え、
前記中央処理部は、前記存否判定部により人間が居る旨の判定がなされた場合に、各電力監視部の前記温度センサ又は前記火災センサの検出データに基づいて火災が発生した旨を判定したとき、その旨を報知する火災報知部を有することを特徴とする請求項１〜７のいずれか１項に記載の電力監視処理システム。
【請求項９】
前記中央処理部は、
前記存否判定部により人間が居る旨の判定がなされた場合に、前記建屋の玄関のスマートキーシステムに対して施錠を行う旨の指令を送るスマートキー処理部を有することを特徴とする請求項１〜８のいずれか１項に記載の電力監視処理システム。
【手続補正２】
【補正対象書類名】明細書
【補正対象項目名】０００９
【補正方法】変更
【補正の内容】
【０００９】
第１発明に係る電力監視処理システムは、
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
各電力監視部は、人間の現在位置を検出する現在位置センサを備え、
前記中央処理部は、前記存否判定部により人間が居る旨の判定がなされない場合には所定の警告を出力し、前記存否判定部により人間が居る旨の判定がなされた場合には、各電力監視部からの前記現在位置センサの検出データに基づき、該人間の現在位置を示す所定の出力を行う人間監視部を有することを特徴とする。
【手続補正３】
【補正対象書類名】明細書
【補正対象項目名】００１０
【補正方法】変更
【補正の内容】
【００１０】
第１発明によれば、建屋内の人間そのものを検出するのではなく、人間が存在することにより生じる電力の消費、必要な一定の照度に基づいて人間の存否を判定するようにしたので、人間そのものを検出できないような場合、例えば人感センサの検出範囲外に人間が移動している場合でも、人間が存在する旨の判定を行うことができる。
また、第１発明によれば、上述の存否判定部の判定結果に応じて人間が居ない旨の警告や、居ると判定された人間の現在位置を示す所定の出力を行うようにしたので、存否判定部の判定結果を適切に利用して監視対象となる人間を監視することができる。
第２発明に係る電力監視処理システムは、
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
各電力監視部は、人間の現在位置を検出する現在位置センサを備え、
前記中央処理部は、前記存否判定部により人間が居る旨の判定がなされた場合に、各電力監視部の前記現在位置センサの検出データに基づいて該人間の現在位置を示す処理を行う保安処理部を有することを特徴とする。
第２発明によれば、存否判定部による判定結果を適切に利用しながら、現在位置センサの検出データに基づいて該人間の現在位置を示す処理を行うことができる。
第３発明に係る電力監視処理システムは、  建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
前記電力監視部は、漏水を検知する漏水センサを備え、
前記中央処理部は、前記存否判定部により人間が居る旨の判定がなされた場合に、各電力監視部の前記漏水センサの検出データに基づいて漏水があったことを検出したときに、その旨を報知するための出力を行う漏水報知部を有することを特徴とする。
第３発明によれば、存否判定部による判定結果を適切に利用しながら、漏水があったことを検出したときにその旨を報知する処理を行うことができる。
第４発明に係る電力監視処理システムは、建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
各電力監視部は、該電力監視部に接続されている前記電気機器へ供給される電力を、前記中央処理部からの遮断指令に基づいて遮断する電力遮断部を有し、
前記中央処理部は、雷センサからの検出データ又は雷に関する気象情報に基づいて、雷サージから前記電気機器を保護するために該電気機器への電力の供給路を遮断すべきであると判定した場合に各電力監視部に前記遮断指令を送る雷サージ保護部を有することを特徴とする。
第４発明によれば、雷センサの検出データに基づいて電気機器への電力供給路を遮断するようにしたので、雷サージからの電気機器の保護を効果的に行うことができる。
【手続補正４】
【補正対象書類名】明細書
【補正対象項目名】００１１
【補正方法】変更
【補正の内容】
【００１１】
第５発明は、第１〜第４発明において、
各電力監視部は、その周囲の温度を検出するための温度センサを備え、
前記存否判定部は、前記電流センサ及び前記照度センサの検出データに加えて各電力監視部から送られる前記温度センサの検出データに基づいて前記判定を行うものであることを特徴とする。
【手続補正５】
【補正対象書類名】明細書
【補正対象項目名】００１２
【補正方法】変更
【補正の内容】
【００１２】
第５発明によれば、人間が居る場合の温度範囲と温度センサの検出データが示す温度とを比較することにより、より確実に人間の存否を判定することができる。
【手続補正６】
【補正対象書類名】明細書
【補正対象項目名】００１３
【補正方法】変更
【補正の内容】
【００１３】
第６発明は、第１〜第５発明において、
各電力監視部は、該電力監視部に接続されている電気機器に対して、前記中央処理部から指示されたコマンドを送信するコマンド送信部を備え、
前記中央処理部は、前記存否判定部により人間が居る旨の判定がなされた場合に、各電力監視部からの前記照度センサの検出データに基づき、前記電気機器として照明器具が接続されている該電力監視部に対し、該照明器具に送信すべきコマンドを指示するコマンド指示部を有することを特徴とする。
【手続補正７】
【補正対象書類名】明細書
【補正対象項目名】００１４
【補正方法】変更
【補正の内容】
【００１４】
第６発明によれば、存否判定部により人間が居る旨の判定がなされた場合に、照明器具が接続されている電力監視部にコマンドの指示を行うようにしたので、その照明器具を当該人間にとって適切な出力等となるように制御することができる。
【手続補正８】
【補正対象書類名】明細書
【補正対象項目名】００１５
【補正方法】変更
【補正の内容】
【００１５】
第７発明は、第１〜第５発明において、
各電力監視部は、該電力監視部に接続されている電気機器に対して、前記中央処理部から指示されたコマンドを送信するコマンド送信部を備え、
前記中央処理部は、前記存否判定部により人間が居る旨の判定がなされた場合に、各電力監視部からの前記温度センサの検出データに基づき、前記電気機器としてエアコンディショナが接続されている該電力監視部に対し、該エアコンディショナに送信すべきコマンドを指示するコマンド指示部を有することを特徴とする。
【手続補正９】
【補正対象書類名】明細書
【補正対象項目名】００１６
【補正方法】変更
【補正の内容】
【００１６】
第７発明によれば、存否判定部により人間が居る旨の判定がなされた場合に、エアコンディショナが接続されている電力監視部にコマンドの指示を行うようにしたので、そのエアコンディショナを当該人間にとって適切な出力等となるように制御することができる。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
第８発明は、第１〜第７発明において、
各電力監視部は、その周囲の温度を検出する温度センサ又は火災センサを備え、
前記中央処理部は、前記存否判定部により人間が居る旨の判定がなされた場合に、各電力監視部の前記温度センサ又は前記火災センサの検出データに基づいて火災が発生した旨を判定したとき、その旨を報知する火災報知部を有することを特徴とする。
【手続補正１３】
【補正対象書類名】明細書
【補正対象項目名】００２０
【補正方法】変更
【補正の内容】
【００２０】
第８発明によれば、存否判定部による判定結果を適切に利用しながら、火災が発生した旨を報知することができる。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
各電力監視部は、人間の現在位置を検出する現在位置センサを備え、
前記中央処理部は、前記存否判定部により人間が居る旨の判定がなされない場合には所定の警告を出力し、前記存否判定部により人間が居る旨の判定がなされた場合には、各電力監視部からの前記現在位置センサの検出データに基づき、該人間の現在位置を示す所定の出力を行う人間監視部を有することを特徴とする電力監視処理システム。
【請求項２】
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
各電力監視部は、人間の現在位置を検出する現在位置センサを備え、
前記中央処理部は、前記存否判定部により人間が居る旨の判定がなされた場合に、各電力監視部の前記現在位置センサの検出データに基づいて該人間の現在位置を示す処理を行う保安処理部を有することを特徴とする電力監視処理システム。
【請求項３】
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
前記電力監視部は、漏水を検知する漏水センサを備え、
前記中央処理部は、前記存否判定部により人間が居る旨の判定がなされた場合に、各電力監視部の前記漏水センサの検出データに基づいて漏水があったことを検出したときに、その旨を報知するための出力を行う漏水報知部を有することを特徴とする電力監視処理システム。
【請求項４】
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続された電気機器に供給される電力を測定するための電流センサと、
該電力監視部の周囲の照度を検出する照度センサと、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び前記照度センサの検出データに基づいて前記建屋に人間が居るかどうかを判定する存否判定部とを備え、
各電力監視部は、該電力監視部に接続されている前記電気機器へ供給される電力を、前記中央処理部からの遮断指令に基づいて遮断する電力遮断部を有し、
前記中央処理部は、雷センサからの検出データ又は雷に関する気象情報に基づいて、雷サージから前記電気機器を保護するために該電気機器への電力の供給路を遮断すべきであると判定した場合に各電力監視部に前記遮断指令を送る雷サージ保護部を有することを特徴とする電力監視処理システム。
【請求項５】
各電力監視部は、その周囲の温度を検出するための温度センサを備え、
前記存否判定部は、前記電流センサ及び前記照度センサの検出データに加えて各電力監視部から送られる前記温度センサの検出データに基づいて前記判定を行うものであることを特徴とする請求項１〜４のいずれか１項に記載の電力監視処理システム。
【請求項６】
各電力監視部は、該電力監視部に接続されている電気機器に対して、前記中央処理部から指示されたコマンドを送信するコマンド送信部を備え、
前記中央処理部は、前記存否判定部により人間が居る旨の判定がなされた場合に、各電力監視部からの前記照度センサの検出データに基づき、前記電気機器として照明器具が接続されている該電力監視部に対し、該照明器具に送信すべきコマンドを指示するコマンド指示部を有することを特徴とする請求項１〜５のいずれか１項に記載の電力監視処理システム。
【請求項７】
各電力監視部は、該電力監視部に接続されている電気機器に対して、前記中央処理部から指示されたコマンドを送信するコマンド送信部を備え、
前記中央処理部は、前記存否判定部により人間が居る旨の判定がなされた場合に、各電力監視部からの前記温度センサの検出データに基づき、前記電気機器としてエアコンディショナが接続されている該電力監視部に対し、該エアコンディショナに送信すべきコマンドを指示するコマンド指示部を有することを特徴とする請求項５に記載の電力監視処理システム。
【請求項８】
各電力監視部は、その周囲の温度を検出する温度センサ又は火災センサを備え、
前記中央処理部は、前記存否判定部により人間が居る旨の判定がなされた場合に、各電力監視部の前記温度センサ又は前記火災センサの検出データに基づいて火災が発生した旨を判定したとき、その旨を報知する火災報知部を有することを特徴とする請求項１〜７のいずれか１項に記載の電力監視処理システム。
【請求項９】
前記中央処理部は、
前記存否判定部により人間が居る旨の判定がなされた場合に、前記建屋の玄関のスマートキーシステムに対して施錠を行う旨の指令を送るスマートキー処理部を有することを特徴とする請求項１〜８のいずれか１項に記載の電力監視処理システム。
【手続補正２】
【補正対象書類名】明細書
【補正対象項目名】００１５
【補正方法】変更
【補正の内容】
【００１５】
第７発明は、第５発明において、
各電力監視部は、該電力監視部に接続されている電気機器に対して、前記中央処理部から指示されたコマンドを送信するコマンド送信部を備え、
前記中央処理部は、前記存否判定部により人間が居る旨の判定がなされた場合に、各電力監視部からの前記温度センサの検出データに基づき、前記電気機器としてエアコンディショナが接続されている該電力監視部に対し、該エアコンディショナに送信すべきコマンドを指示するコマンド指示部を有することを特徴とする。